(57)【要約】【課題】浴室の天井裏に設置される乾燥暖房機に対する電力線等の接続が容易となり、施工性が向上する浴室乾燥暖房機を提供する。【解決手段】浴室の天井裏に設置される乾燥暖房機６の本体ケース６ａに、浴室天井の点検口４ａに向かって延びる延出部材１０を固設し、この延出部材１０に、温度ヒューズを内蔵した電源端子台７を設けて構成する。【選択図】図１
2008275197.tif 000002
【特許請求の範囲】
【請求項１】
浴室の天井裏に設置される乾燥暖房機であって、
該乾燥暖房機本体に、浴室天井の点検口に向かって延びる延出部材を固設し、
該延出部材に、温度ヒューズを内蔵した電源端子台を設けた
ことを特徴とする浴室乾燥暖房機。
【請求項２】
前記延出部材は、スライドさせて延出長さを調節できるように構成されていることを特徴とする請求項１に記載の浴室乾燥暖房機。
【請求項３】
乾燥暖房機本体に、電源端子台を備えた延出部材を予め固設しておき、
その状態で該乾燥暖房機本体を浴室の天井裏に設置し、
その後前記電源端子台に電力線をつなぐこと
を特徴とする浴室乾燥暖房機の施工方法。
【発明の詳細な説明】
【技術分野】
【０００１】
本発明は、浴室の天井裏に設置される乾燥暖房機及びその施工方法に関するものである。
【背景技術】
【０００２】
従来、特許文献１に開示されているように、温度ヒューズ入り端子台を上面に取り付けた浴室暖房乾燥機が存在する。
即ち、図５に示すように、防水パン２の周囲に壁パネル３を立設させ、上端に天井パネル４を組み付けて構成された浴室ユニット１内部には浴槽５が設置され、浴室ユニット１の天井裏には、暖房，乾燥機能を有する暖房乾燥機６が設けられ、この暖房乾燥機６の上面に、温度ヒューズ入りの端子台７が取り付けられており、この端子台７に、現場で電力線及びアース線８を差し込んで接続できるように構成されている。
【特許文献１】特開２００５−１０６３９２号公報
【発明の開示】
【発明が解決しようとする課題】
【０００３】
現場において、天井パネル４に形成された点検口４ａから手を延ばし、電力線，アース線８を端子台７に接続する必要があるが、端子台７は暖房乾燥機６の上面に取り付けられているため、点検口４ａと暖房乾燥機６間の距離が遠い場合や、浴室ユニット１の天井パネル４と躯体の天井間の高さが低い場合、あるいは躯体側から梁が突出しているような現場においては、暖房乾燥機の端子台７に電力線，アース線８を接続することが困難で、施工できない場合があるという問題点があった。
【課題を解決するための手段】
【０００４】
本発明は上記従来の問題点に鑑み案出したものであって、現場での施工が容易となる浴室乾燥暖房機及びその施工方法を提供するものであり、その請求項１は、浴室の天井裏に設置される乾燥暖房機であって、該乾燥暖房機本体に、浴室天井の点検口に向かって延びる延出部材を固設し、該延出部材に、温度ヒューズを内蔵した電源端子台を設けたことである。
【０００５】
また、請求項２は、前記延出部材は、スライドさせて延出長さを調節できるように構成されていることである。
【０００６】
また、浴室乾燥暖房機の施工方法は、乾燥暖房機本体に、電源端子台を備えた延出部材を予め固設しておき、その状態で該乾燥暖房機本体を浴室の天井裏に設置し、その後、前記電源端子台に電力線をつなぐことである。
【発明の効果】
【０００７】
本発明は、浴室の天井裏に設置される乾燥暖房機であって、該乾燥暖房機本体に、浴室天井の点検口に向かって延びる延出部材を固設し、該延出部材に、温度ヒューズを内蔵した電源端子台を設けたことにより、天井裏に設置される浴室乾燥暖房機と点検口の距離が遠い場合、あるいは躯体と浴室天井間の高さが低い場合、あるいは躯体側から梁が突出している場合においても、乾燥暖房機の本体から天井の点検口に向かって延出部材が延びており、その延出部材に電源端子台が設けられているため、点検口から容易に電源端子台に電力線及びアース線を差し込んで接続することができ、乾燥暖房機の施工を容易に行うことができるものとなる。
【０００８】
また、前記延出部材は、スライドさせて延出長さを調節できるように構成されていることにより、乾燥暖房機を天井裏に設置する際には、延出部材の突出長さを短い状態にしておくと、乾燥暖房機を天井開口に通し易く、天井裏に容易に設置させることができるものとなり、延出部材が邪魔になることがない。また、乾燥暖房機の設置後に延出部材を点検口側へ延ばすことにより、点検口から容易に電源端子台に電力線及びアース線を接続することができるものとなり、施工及び点検が容易なものとなる。
【０００９】
また、浴室乾燥暖房機の施工方法は、乾燥暖房機本体に、電源端子台を備えた延出部材を予め固設しておき、その状態で該乾燥暖房機本体を浴室の天井裏に設置し、その後前記電源端子台に電力線をつなぐこととしたため、延出部材を介して電源端子台を乾燥暖房機本体から離れた位置に設けておき、この状態で浴室の天井裏に乾燥暖房機本体を設置して、点検口に近い位置に電源端子台を配置させることができて、容易に点検口から電源端子台に電力線及びアース線をつなぐことができ、乾燥暖房機の施工及び点検を容易に行うことができるものとなる。
【実施例】
【００１０】
以下、本発明の実施例を図面に基づいて説明する。
図１は、第１実施例の換気乾燥暖房機の設置状態の拡大構成図である。
浴室ユニット１の天井を構成する天井パネル４の天井裏に設置される換気乾燥暖房機６は、換気機能，乾燥機能，暖房機能を備えており、本体ケース６ａの下面側に、天井パネル４を貫通して浴室内に開口した図示しない吸込口と吹出口が形成されており、吸込口から浴室内の空気を吸い込み、吹出口から浴室内に乾燥風あるいは暖房風を噴出させることができるものであり、また、本体ケース６ａの側面にはダクト接続部６ｂが開口されており、このダクト接続部６ｂにはダクト９が接続され、このダクト９を介して浴室内の換気もできるように構成されている。
【００１１】
本例では、換気乾燥暖房機６の本体ケース６ａの上面に、略水平に延びる延出部材１０の延出部１０ａが固定部１１を介して固設されており、延出部材１０は板材でクランク状に形成され、延出部１０ａの先端で下方側へ折れ曲がって段部１０ｂが形成され、段部１０ｂの下端側で折れ曲がって略水平に延びる先端部１０ｃが一体形成されたものであり、この延出部材１０は本体ケース６ａから、天井パネル４に形成されている点検口４ａに向かって延出されており、この延出部材１０の先端部１０ｃの上面に電源端子台７が取り付けられている。
【００１２】
この電子端子台７内には温度ヒューズが内蔵されており、電子端子台７には、例えば３個の端子部７ａ，７ｂ，７ｃが形成されている。
この電源端子台７と本体ケース６ａ内の機能部材間は、保護チューブで被覆されたケーブル１２で接続されており、ケーブル１２は、延出部材１０の段部１０ｂを貫通して延出部１０ａに沿って配線され、本体ケース６ａ内と電源端子台７を電気的に接続している。
【００１３】
なお、図２には、この電源端子台７を上面から見た概略構成図を示す。
図２に示すように、電源端子台７には、電力線１３を差し込んで接続できる端子部７ａ，７ｂと、アース線１４を差し込んで接続できる端子部７ｃが設けられており、電源端子台７内には温度ヒューズ７ｄが内蔵されている。
端子部７ａ，７ｂから延びる電源線１２ａ，１２ａ、及び、端子部７ｃから延びるアース線１２ｂ、及び、温度ヒューズ７ｄから延びる温度ヒューズ配線１２ｃが、保護チューブで被覆された１本のケーブル１２としてまとめられて換気乾燥暖房機６の本体ケース６ａ内に接続されている。
【００１４】
なお、温度ヒューズ７ｄは、温度ヒューズ７ｄを通る電流の量には関係なく、温度の上昇により溶断されるように設定されたものであり、例えば、端子部７ａ，７ｂに対する電力線１３の差し込みが不十分な場合や、この部分にゴミ等が付着し接触抵抗が大きくなり異常に温度が上昇した場合に、発火，発煙等の異常状態になる前に、この温度ヒューズ７ｄが溶断されて、安全性が確保されるものである。
【００１５】
この図１のような構成では、換気乾燥暖房機６の設置位置が点検口４ａから遠い場合でも、延出部材１０を介して電源端子台７は点検口４ａに近い位置に配置されるため、点検口４ａから容易に電力線１３，アース線１４を電源端子台７の端子部７ａ，７ｂ，７ｃに差し込み接続することができ、施工が容易なものとなり、また点検も容易なものとなる。
なお、図１のように、延出部材１０の延出方向をダクト９の延出方向と同方向にしておけば、より施工性が向上するものとなる。
【００１６】
次に、図３は変更例を示すものであり、図３では、換気乾燥暖房機６の本体ケース６ａの上面ではなく側面に延出部材１０を固定して、本体ケース６ａの側面から点検口４ａに向かって延出部材１０を延出させたものである。
即ち、本体ケース６ａの側面に延出部１０ａを固定部１１を介して固設して、延出部材１０の先端部１０ｃに電源端子台７を取り付けておき、電源端子台７からケーブル１２を段部１０ｂを貫通させて、本体ケース６ａに接続させておくことができ、この状態で、天井パネル４の天井裏に換気乾燥暖房機６を設置して、その後に点検口４ａから電源端子台７の端子部７ａ，７ｂ，７ｃに電力線１３及びアース線１４を接続して施工することができ、電源端子台７は、点検口４ａに極めて近い位置に配置されるため、点検口４ａから容易に電力線１３，アース線１４を電源端子台７に接続することができ、施工及び点検が極めて容易なものとなる。
【００１７】
次に、図４は第２実施例を示すものであり、図４では、換気乾燥暖房機６の本体ケース６ａの側面から延びる延出部材１０は、延出長さを調整できるように構成されており、本体ケース６ａの側面に固定部１１を介して固定された固定部材１０１の外側にスライド部材１０２が嵌め込まれており、スライド部材１０２は固定部材１０１に対し略水平方向にスライド移動させることができ、スライド移動により延出長さを調整できるように構成されている。なお、固定部材１０１の先端には、上下に突出したストッパー部１０１ａが形成されており、このストッパー部１０１ａによりスライド部材１０２が固定部材１０１から抜脱することが防がれている。
【００１８】
スライド部材１０２の固定部材１０１と反対側の先端には、温度ヒューズが内蔵された電源端子部７が取り付けられており、この電源端子部７には縦方向に例えば３個の端子部７ａ，７ｂ，７ｃが形成されている。
また、電源端子部７から本体ケース６ａに向かってケーブル１２が延びており、ケーブル１２はスライド部材１０２に沿って配線され、ケーブル１２内には電源線１２ａ，アース線１２ｂ，温度ヒューズ配線１２ｃが内装されている。
【００１９】
本例においても、延出部材１０は、本体ケース６ａのダクト接続部６ｂから延びるダクト９と同一方向に延出されたものであり、電源端子台７を点検口４ａに極めて近い位置まで延出させることができるように構成されている。
換気乾燥暖房機６の本体ケース６ａに延出部材１０を介し電源端子台７を予め固設しておき、この状態で換気乾燥暖房機６の本体ケース６ａを天井裏に設置する際に、スライド部材１０２を押し込んで延出部材１０の延出長さを極めて短い状態にしておくことで、天井パネル４の開口をスムーズに本体ケース６ａが通り抜けることができるものとなり、天井裏への本体ケース６ａの設置がしやすくなり、換気乾燥暖房機６の天井裏への施工時に延出部材１０が邪魔になることがなく容易に施工することができ、また、天井裏に換気乾燥暖房機６を設置した後に、延出部材１０のスライド部材１０２を点検口４ａ側へ引き延ばしておけば、点検口４ａに近い位置に電源端子台７が配置されることとなり、点検口４ａから容易に電源端子台７の端子部７ａ，７ｂ，７ｃに電力線１３及びアース線１４を差し込んで接続することができ、施工及び点検が極めて容易に行えるものとなる。
【図面の簡単な説明】
【００２０】
【図１】第１実施例の換気乾燥暖房機の天井裏への設置状態の要部斜視構成図である。
【図２】換気乾燥暖房機と電源端子台との配線状態を示す平面概略拡大構成図である。
【図３】図１の変更例を示す換気乾燥暖房機の設置状態の要部斜視構成図である。
【図４】第２実施例の換気乾燥暖房機の天井裏への設置状態の要部斜視構成図である。
【図５】天井裏に従来の乾燥暖房機を設置した浴室ユニットの斜視構成図である。
【符号の説明】
【００２１】
１  浴室ユニット
４  天井パネル
４ａ  点検口
６  換気乾燥暖房機
６ａ  本体ケース
６ｂ  ダクト接続部
７  電源端子台
７ａ，７ｂ，７ｃ  端子部
７ｄ  温度ヒューズ
９  ダクト
１０  延出部材
１０ａ  延出部
１０ｂ  段部
１０ｃ  先端部
１１  固定部
１２  ケーブル
１２ａ  電源線
１２ｂ  アース線
１２ｃ  温度ヒューズ配線
１３  電力線
１４  アース線
１０１  固定部材
１０１ａ  ストッパー部
１０２  スライド部材
【図１】
2008275197.tif 000003
【図２】
2008275197.tif 000004
【図３】
2008275197.tif 000005
【図４】
2008275197.tif 000006
【図５】
2008275197.tif 000007